(57)【要約】【課題】光線フィルタの交換を簡略化して利便性を向上し、且つ、光線フィルタの適用性を広げコストを抑え、経済効果を増進する、懐中電灯用光線フィルタ設置機構の提供。【解決手段】懐中電灯本体の一端に設けた照射ヘッドと、固定リング、光線フィルタを含み、該照射ヘッド内に光源体を設置し、その前方に透明カバーを設け、該透明カバー外側周縁部に環状突出部を設け、該環状突出部内周面に軸方向に縦方向挿入槽を複数形成し、該縦方向挿入槽をさらに該透明カバー近くで横方向に屈折させて横方向嵌入槽を形成し、該固定リング周縁部に複数の嵌入突起を設け、該固定リングを照射ヘッドの環状突出部内に設置して各嵌入突起を縦方向挿入槽内の末端に進入させた後、該固定リングをさらに横方向へ回転させ、各嵌入突起を各横方向嵌入槽内に嵌入して位置決めし、該透明カバーと固定リング間に設置された光線フィルタの周縁部が固定リングと透明カバーにより挟持される。  【選択図】図１
0003119616.tif 000002
【実用新案登録請求の範囲】
【請求項１】
少なくとも照射ヘッドと、光線フィルタと、固定リングを含み、そのうち、前記照射ヘッドは懐中電灯本体の一端に設置され、前記照射ヘッド内に光源体を収容することができ、且つ、前記光源体の前方に透明カバーが設置され、前記透明カバーの外側周縁部に環状突出部が設けられ、前記光線フィルタは前記照射ヘッドの環状突出部内に設置され、且つ、前記透明カバー前方に貼りつくように設置されると共に、前記固定リングは前記照射ヘッドの環状突出部内に連結され、前記光線フィルタの周縁部を押さえ、前記光線フィルタが前記固定リングと前記照射ヘッドの透明カバー間に挟持されて固定される、懐中電灯用光線フィルタ設置機構。
【請求項２】
前記照射ヘッドの環状突出部内側周面に軸方向に沿って延伸した縦方向挿入槽を複数設け、前記縦方向挿入槽の前記透明カバーに近い側を横方向に屈折させて横方向嵌入槽を形成し、前記固定リングの周縁部に外側に向かって突起した嵌入突起を複数設け、前記嵌入突起は前記照射ヘッドの環状突出部内側に設けた各縦方向挿入槽にそれぞれ対応し、前記固定リングを前記照射ヘッドの環状突出部内に嵌め込み、各嵌入突起を前記縦方向挿入槽内の末端まで進入させた後、さらに前記固定リングを横方向に回動させ、前記嵌入突起を各横方向嵌入槽内に嵌入させて位置決めを形成する、請求項１に記載の懐中電灯用光線フィルタ設置機構。    
【請求項３】
前記照射ヘッドの環状突出部の内周面に設けた各横方向嵌入槽の中段部にさらに係止突起を横設し、前記固定リングを回動させて前記嵌入突起を前記横方向嵌入槽内にそれぞれ進入させて位置決めした後、保持機能を形成する、請求項２に記載の懐中電灯用光線フィルタ設置機構。
【請求項４】
前記固定リングの片側周縁部に軸方向に沿って突出した押圧突起を複数設け、前記固定リングを前記照射ヘッドの環状突出部内に嵌め込んだ後、前記押圧突起を用いて回動させることができる、請求項２または３に記載の懐中電灯用光線フィルタ設置機構。
【請求項５】
前記固定リングと前記照射ヘッド間を螺合により連結する、請求項１に記載の懐中電灯用光線フィルタ設置機構。
【考案の詳細な説明】
【技術分野】
【０００１】
本考案は懐中電灯用光線フィルタ設置機構に関し、詳細には、迅速に着脱を行うことができ、しっかりと位置決め可能で、組み立てが簡単な光線フィルタ装置に関する。
【背景技術】
【０００２】
従来の懐中電灯は、そのほとんどが内部に収納空間を備えた懐中電灯本体の一端に照射ヘッドを設置し、該照射ヘッド内に光源体が設けられ、該光源体の前方に透明カバーを設けて光源体に外部から水分や異物が侵入するのを防ぐと共に、該光源体の破損を防止している。しかしながら、コスト及び一般的な使用上のニーズを考慮すると、該光源体はその多くが一般的な白色光または淡い黄色の光であり、このような状況下では異なる色や光線（霧がかかったような光や柔らかな光等）を発散させて変化を必要とする場合、使用者は各種の異なる光線フィルタ（色フィルタや霧フィルタ）を用い、該白色光または淡い黄色光の光源体が発する光線を濾過し、その求める照明効果を得なければならない。
【０００３】
しかしながら、従来の光線フィルタの設置は、光線フィルタを該照射ヘッド内の透明カバーと光源体の間に設置するものがあるが、このような構造は該照射ヘッドの外殼を取り外して該光線フィルタの交換・設置を行う必要があり、使用上不便であるだけでなく、該光源体が発生する熱により光線フィルタが破損されやすい。また、光線フィルタの周縁部に固定リングを設け、この固定リングを用いて照射ヘッドの周縁部に組み込み、該光線フィルタを該透明カバーの前方に設置するものもあるが、このような固定リングと各光線フィルタを結合させた構造は、光線フィルタの生産コストが増加するだけでなく、各光線フィルタは単一の懐中電灯本体の照射ヘッドのみに適用可能であり、その他の懐中電灯製品に使用することはできないため、使用上経済的でない。
【０００４】
従来の懐中電灯と光線フィルタの構造には上述のような欠点があり、本考案はこれらの欠点に対し改善を施すべく生まれたものである。
【考案の開示】
【考案が解決しようとする課題】
【０００５】
本考案の主な目的は、主に固定リングを利用することで便利に組み込み・回転の動作をさせ、効果的に光線フィルタの交換作業を簡略化し、使用上の利便性を増進することができる、懐中電灯用光線フィルタ設置機構を提供することにある。
【０００６】
本考案の別の目的は、各種光線フィルタを単一の懐中電灯本体の照射ヘッドのみに対して設計するのではなく、さまざまな懐中電灯本体の照射ヘッドに適用することができ、互換的使用が可能でいかなる制限もないため、効果的にコストを抑え、経済効果を増進することができる、懐中電灯用光線フィルタ設置機構を提供することにある。
【課題を解決するための手段】
【０００７】
本考案は主に、照射ヘッド、固定リング及び光線フィルタ等の部分を含み、そのうち、前記照射ヘッドは懐中電灯本体の一端に設けられ、この照射ヘッド内に光源体が設置されると共に、この光源体の前方に透明カバーが設けられ、この透明カバーの外側周縁部に環状突出部を設け、この環状突出部内側周面に複数の軸方向に沿って延伸された縦方向挿入槽を形成し、この縦方向挿入槽をさらに前記透明カバー近くで横方向に屈折させて横方向嵌入槽を形成し、前記固定リングの周縁部に複数の外側に向かって突出した嵌入突起を設け、前記照射ヘッドの環状突出部の内側に設けた各縦方向挿入槽にそれぞれ対応し、前記固定リングを照射ヘッドの環状突出部内に設置し、各嵌入突起を縦方向挿入槽内の末端に進入させた後、さらに横方向へ回転させると各嵌入突起が各横方向嵌入槽内に嵌入されて位置決めされ、光線フィルタが前記照射ヘッドの透明カバーと前記固定リングの間に設置され、固定リングと透明カバーが光線フィルタの周縁部を挟持し、光線フィルタを位置決めすることができ、この固定リングを利用することで便利に組み込み・回転の動作をさせ、効果的に光線フィルタの交換作業を簡略化し、使用上の利便性を増進することができる。
【考案を実施するための最良の形態】
【０００８】
本考案の詳細な構造、応用原理、作用及び効果について、以下、図面に基づき詳細に説明する。
【０００９】
図１に本考案の構造分解図を示す。この図からはっきりとわかるように、本考案は主に、照射ヘッド１、固定リング２及び光線フィルタ３等の部分を含み、そのうち、照射ヘッド１は懐中電灯本体１０の一端に設置され、その内部に光源体を収容することができ、且つ、この光源体の前方に透明カバー１１が設置され、この透明カバー１１の外側周縁部に環状突出部１２が形成される。この環状突出部１２の内周面に複数の軸方向に沿って延伸された縦方向挿入槽１２１が形成され、この縦方向挿入槽１２１はその透明カバー１１に近い側が横方向に屈折して横方向嵌入槽１２２が設けられ、且つ、各横方向嵌入槽１２２の中段部にさらに係止突起１２３が横設される。該懐中電灯本体１０外側表面に手で握るためのハンドル１０１を設置し、固定リング２の周縁部に複数の外側に向かって突起した嵌入突起２１を設け、各嵌入突起２１がそれぞれ前記照射ヘッド１の環状突出部１２内の各縦方向挿入槽１２１に対応する。且つ、前記固定リング２は片側の周縁部に複数の軸方向に沿って突出した押圧突起２２，而該光線フィルタ３は片状を呈し、その形状、大きさは前記照射ヘッド１の環状突出部１２内にちょうどよく設置することができるものとする。
【００１０】
図２に本考案の組み立て動作を示す立体図を、図３に組み立て後の立体外観図をそれぞれ示す。これらの図からわかるように、組み立て時にはまず前記光線フィルタ３を前記照射ヘッド１の環状突出部１２内に入れ前記透明カバー１１前方に貼り付けるように設置し、さらに前記固定リング２を照射ヘッド１の環状突出部１２内に嵌め込み、各嵌入突起２１を縦方向挿入槽１２１内に進入させた後、押圧突起２２を押して該固定リング２を横方向に回動させ（図２参照）、嵌入突起２１に係止突起１２３を通過させて各横方向嵌入槽１２２の末端内に嵌入させ、位置決めを形成すると同時に、係止突起１２３を利用して嵌入突起２１が外側に向かって抜けないように保持される。この固定リング２が前記光線フィルタ３の周縁部を押さえ、光線フィルタ３が挟持されて固定リング２と照射ヘッド１の透明カバー１１間に固定される。
【００１１】
上述の構造から分かるように、本考案は構造が非常に簡易であるだけでなく、光線フィルタ３の交換に非常に便利であり、また、光線フィルタ３に別途加工を行う必要もなく、互換的使用が可能でいかなる制限もないため、コスト効果が非常に高い。
【００１２】
本考案の固定リングと懐中電灯の照射ヘッド間は、上述の嵌入後に回転させて嵌合させる方式による結合のほか、相対する雄ネジ、雌ネジを設けて螺合する方式としても簡易な結合形態が得られる。
【００１３】
上述から分かるように、本考案の懐中電灯用光線フィルタ設置機構は迅速な着脱としっかりとした位置決めが可能であり、組み立てが簡易でコストが低いという効果を確実に得ることができ、産業的利用価値、新規性及び進歩性を備えている。
【００１４】
以上で述べた説明は、本考案の最良の実施例に基づくものであり、本考案の実施の範囲を制限するものではない。本考案の請求の範囲に基づくあらゆる変化や修飾はすべて本考案の特許範囲に含まれるものとみなす。
【図面の簡単な説明】
【００１５】
【図１】本考案の立体分解図である。
【図２】本考案の組み立て動作を示す立体図である。
【図３】本考案の組み立て後の状態を示す立体外観図である。
【符号の説明】
【００１６】
１        照射ヘッド
１０      懐中電灯本体
１０１    ハンドル
１１      透明カバー
１２      環状突出部
１２１    縦方向挿入槽
１２２    横方向嵌入槽
１２３    係止突起
２        固定リング
２１      嵌入突起
２２      押圧突起
３        光線フィルタ
【図１】
0003119616.tif 000003
【図２】
0003119616.tif 000004
【図３】
0003119616.tif 000005